(57)【要約】【課題】利用者が複数の懸賞に対して簡単に応募することができ、また懸賞提供者が効率的に懸賞を通じてデータ収集することを可能にする。【解決手段】懸賞登録部３４ａは、ネットワーク上で実施される複数の懸賞に関するそれぞれのデータを、各懸賞提供者が使用する懸賞提供者端末１８−３を通じて登録する。また、応募者登録部３２ａは、ネットワークを通じて、懸賞の応募に必要な利用者端末１８−１から送信されるデータを登録する。懸賞応募部３８ａは、応募者登録部３２ａによって取得されたデータを、ネットワークを通じて懸賞登録部３４ａによって登録された複数の懸賞にそれぞれ提供することで複数の懸賞に一括応募する。【選択図】    図２
2004272699.tif 000002
【特許請求の範囲】
【請求項１】
ネットワーク上で実施される複数の懸賞に関するそれぞれのデータを登録する懸賞登録手段と、
ネットワークを通じて懸賞の応募に必要な利用者端末から送信されるデータを登録する応募者登録手段と、
前記応募者登録手段によって取得されたデータを、ネットワークを通じて前記懸賞登録手段によってデータが登録された複数の懸賞にそれぞれ提供し、複数の懸賞に一括応募する懸賞応募手段と
を具備したことを特徴とする懸賞登録代行システム。
【請求項２】
前記懸賞登録手段によって登録された懸賞のそれぞれについて、前記応募者登録手段によって登録されたデータの提供数を管理する管理手段と、
前記管理手段によって管理される前記提供数に応じて、前記懸賞のそれぞれに対する料金を算出する算出手段と、
前記算出手段によって算出された料金について、前記懸賞のそれぞれに対して決済する決済手段と
を具備したことを特徴とする請求項１記載の懸賞登録代行システム。
【請求項３】
前記懸賞登録手段によってデータが登録された懸賞に対する応募状況のデータを記憶する状況記憶手段と、
前記状況記憶手段に記憶された応募状況のデータを、ネットワークを通じて提供する応募状況提供手段と
を具備したことを特徴とする請求項１記載の懸賞登録代行システム。
【請求項４】
前記懸賞応募手段によって一括応募される複数の懸賞のうち個別のデータの提供が必要な懸賞について、前記応募者からネットワークを通じて個別のデータを取得する個別データ取得手段を具備したことを特徴とする請求項１記載の懸賞登録代行システム。
【請求項５】
前記懸賞応募手段によって応募される懸賞の応募期限前に、懸賞に当選した場合に提供される景品の選択指示を入力する選択指示入力手段を具備し、
前記懸賞応募手段は、前記選択指示入力手段により入力した選択指示が示す景品を対象とする懸賞に一括応募することを特徴とする請求項１記載の懸賞登録代行システム。
【請求項６】
前記懸賞応募手段によって応募した懸賞に当選することで提供された景品を、ネットワークを通じたオークションに出品するオークション手段を具備したことを特徴とする請求項１記載の懸賞登録代行システム。
【請求項７】
ネットワークを通じて前記利用者端末を使用する利用者の識別情報を受信する受信手段と、
前記受信手段によって受信された識別情報をもとに、前記利用者端末の種類に関係なく、前記懸賞応募手段によって応募される懸賞を利用者ごとに管理する懸賞管理手段と
を具備したことを特徴とする請求項１記載の懸賞登録代行システム。
【請求項８】
ネットワーク上で実施される複数の懸賞に関するそれぞれのデータを登録し、
この登録された懸賞の応募に必要な利用者端末から送信されるデータを、ネットワークを通じて取得して登録し、
この登録された前記懸賞の応募に必要なデータを、ネットワークを通じて前記複数の懸賞にそれぞれ提供することで複数の懸賞に一括応募することを特徴とする懸賞登録代行方法。
【発明の詳細な説明】
【０００１】
【発明の属する技術分野】
本発明は、インターネットなどのネットワーク上で開催される懸賞に応募するための懸賞登録代行システム、懸賞登録代行方法に関する。
【０００２】
【従来の技術】
近年では、インターネットの発展に伴い、ネットワークを通じて各種のビジネスが展開されるようになっている。例えば、商品販売企業が商品の購買見込み客などの個人データを収集するために、インターネット上で懸賞が開催されている。インターネット上で開催される懸賞では、利用者がパーソナルコンピュータなどの端末を利用して懸賞サイトにアクセスし、この懸賞サイトおいて懸賞の当選者に提供する景品を選択し、予め用意されている登録フォーマット（Ｗｅｂページ）に対して個人データなどを入力することで懸賞に応募することができる（例えば、特許文献１）。
【０００３】
【特許文献１】
特開２００２−３４２５２５号公報
【０００４】
【発明が解決しようとする課題】
このように従来では、インターネット上で開催される懸賞に応募するには懸賞サイトにアクセスし、個人データの入力を行わなければならない。このため、複数の懸賞に応募しようとする場合には、利用者は、個々に懸賞サイトにアクセスし、それぞれに個人データなどを入力しなければならず多大な労力を必要としていた。
【０００５】
また、懸賞を提供する商品販売企業（懸賞提供者）では、自らが開設している懸賞サイトに対して意図してアクセスしてきた利用者の個人データを収集できるに過ぎず、効率的に多くの個人データを収集することができなかった。
【０００６】
本発明は前記のような事情を考慮してなされたもので、利用者が複数の懸賞に対して簡単に応募することができ、また懸賞提供者が効率的に懸賞を通じてデータ収集することが可能な懸賞登録代行システム、懸賞登録代行方法を提供することを目的とする。
【０００７】
【課題を解決するための手段】
本発明は、ネットワーク上で実施される複数の懸賞に関するそれぞれのデータを登録する懸賞登録手段と、ネットワークを通じて懸賞の応募に必要な利用者端末から送信されるデータを登録する応募者登録手段と、前記応募者登録手段によって取得されたデータを、ネットワークを通じて前記懸賞登録手段によってデータが登録された複数の懸賞にそれぞれ提供し、複数の懸賞に一括応募する懸賞応募手段とを具備したことを特徴とする。
【０００８】
このような構成によれば、応募者登録手段により、ネットワークを通じて懸賞の応募に必要な利用者端末から送信されるデータを登録し、一方、懸賞登録手段により、ネットワーク上で実施される複数の懸賞に関するそれぞれのデータを登録しておく。懸賞応募手段は、懸賞登録手段によって取得されたデータを、ネットワークを通じて懸賞登録手段によってデータが登録された複数の懸賞にそれぞれ提供することで、１回の利用者端末からのデータ登録で複数の懸賞に一括応募する。
【０００９】
【発明の実施の形態】
以下、図面を参照して本発明の実施の形態について説明する。
図１は、本発明の実施形態に係わるシステム構成の一例を示すブロック図である。図１に示すように、インターネットやＬＡＮなどの専用回線、公衆回線網（無線通信網なども含む）等を含むネットワーク１０を通じて、サービスを提供するＷｅｂサイトを実現するサーバ１２，１４，１６と、ネットワーク１０を通じてサーバが提供するサイトにアクセスする際に利用される各種の利用者端末１８（ＰＤＡ（ｐｅｒｓｏｎａｌ  ｄｉｇｉｔａｌ  ａｓｓｉｓｔａｎｔ）１８ａ、パーソナルコンピュータ（ＰＣ）１８ｂ、携帯電話１８ｃなど）と、懸賞サイトを実現する複数のサーバ２０−１，…，２０−ｎと、本実施形態における懸賞登録代行システムにおいて懸賞提供者や利用者との間で各種料金等の決済に利用される料金決済システム２２とが相互に接続されている。サーバ１２，１４，１６，２０−１，…，２０−ｎ、利用者端末１８、及び料金決済システム２２は、例えば半導体メモリ、ＣＤ−ＲＯＭ、ＤＶＤ、磁気ディスク等の記録媒体に記録されたプログラムを読み込み、このプログラムによって動作が制御されるコンピュータによって実現される。
【００１０】
本実施形態における懸賞登録代行システムは、例えばサーバ１２、あるいはサーバ１４とサーバ１６とにより実現される。サーバ１２は、ネットオークションのサービスを提供する機能を含む懸賞登録代行システム（懸賞一括登録代行サイト）を実現する。また、サーバ１４は、懸賞登録代行システムを実現し、サーバ１６は、ネットオークションを提供するＷｅｂサイトを実現する。本実施形態における懸賞登録代行システムは、例えばＷＷＷ（Ｗｏｒｌｄ  Ｗｉｄｅ  Ｗｅｂ）を利用して、懸賞一括登録代行サービスとネットオークションを一連のサービスとして提供する。すなわち、サーバ１２あるいはサーバ１４，１６が、懸賞一括登録代行サイトのＷｅｂページとネットオークションを提供するためのＷｅｂページがリンクされている。なお、以下の説明では、説明を簡単にするためにサーバ１２により懸賞登録代行システム（ネットオークションを含む）が実現されるものとして説明する。
【００１１】
懸賞登録代行システムには、このシステムが提供するサイト（ホームページ）にネットワーク１０（インターネット）を通じてアクセスすることができれば、何れの種類の利用者端末１８（ＰＤＡ１８ａ、ＰＣ１８ｂ、携帯電話１８ｃの他、各種モバイル機器なども含む）であっても地域、時間帯等に関係なく利用することができる。
【００１２】
本実施形態における懸賞登録代行システムでは、インターネット上で見込み顧客を獲得するなどのために開催されている多数の懸賞（懸賞サイト）に対して、懸賞の応募の際に必要となる個人データなどを利用者が１回登録するだけで、複数の懸賞に対して一括応募するサービスを提供する。これにより、登録作業に多大な労力を必要とすることなく、懸賞で景品を獲得する当選の確率を格段と飛躍させることができる。また、顧客見込み名簿の獲得などを目的として懸賞を出す懸賞提供者（事業主）に対しても、大量の顧客見込み客についての個人データなどを提供することができる。さらに、応募した懸賞に当選することで利用者が獲得した景品を、懸賞一括代行システムと連動するネットオークションに出品して販売するサービスを提供する。
【００１３】
図２は、図１に示すシステムにおいて実現される懸賞登録代行システム３０の構成と利用者端末１８、サーバ２０−１，…，２０−ｎにより実現する複数の懸賞サイト２０、及び料金決済システム２２との関係を示すブロック図である。なお、利用者端末１８には、懸賞に応募する利用者（応募者）が使用する利用者端末１８−１、懸賞登録代行システムが提供するネットオークションに参加する利用者の利用者端末１８−２、懸賞サイトを運営する事業者が利用する懸賞提供者端末１８−３、懸賞により応募者が獲得した景品を購入する業者（一般者であっても良い）が使用する景品購入者端末１８−４が含まれる。
【００１４】
懸賞登録代行システム３０は、懸賞応募者管理部３２、懸賞提供者登録部３４、懸賞管理部３６、懸賞応募登録代行部３８、懸賞運用管理部４０、ネットオークション部４２の機能が設けられる。
【００１５】
懸賞応募者管理部３２は、懸賞一括登録代行サービスを利用して複数の懸賞サイトへの応募をしようとする応募者を管理するもので、ネットワーク１０を通じて懸賞の応募に必要な利用者端末１８−１から送信されるデータを登録する応募者登録部３２ａと、登録された応募者に対する会費等の管理（決済を含む）を行なう会費管理部３２ｂを有する。会費管理部３２ｂは、応募者に対する入会金と年会費の納入を管理し、また年会費の期限切れ間近になると警告を応募者に対して通知する機能等を有する。
【００１６】
懸賞提供者登録部３４は、懸賞一括登録代行サービスを利用して懸賞の一括登録を受け付ける懸賞提供者（事業者等）を管理するもので、ネットワーク上で実施される複数の懸賞（懸賞サイト）に関するそれぞれのデータを、ネットワーク１０を通じて懸賞提供者端末１８−３から受信して登録する懸賞登録部３４ａと、登録された懸賞提供者に対する広告料の管理（決済を含む）を行なう広告料管理部３４ｂを有する。広告料管理部３４ｂは、懸賞に対する応募件数、すなわち懸賞提供者に提供される応募者についてのデータ数をカウントして、その数に応じて広告料を算出して懸賞提供者毎に請求する機能、広告料遅納者を管理する機能等を有する。
【００１７】
懸賞管理部３６は、懸賞提供者登録部３４（懸賞登録部３４ａ）により登録された懸賞について管理するもので、懸賞提供者から提供されたデータ（懸賞掲載データ３６ｃ（図３参照））をもとに、懸賞一括登録代行サービスを利用する懸賞応募者を募るためのＷｅｂページ（懸賞応募者募集ページ）に懸賞内容を掲載してネットワーク１０を通じて提供する懸賞掲載部３６ａと、懸賞応募者募集ページを通じて入力される利用者からの指定、例えば懸賞で当選した場合に獲得できる景品のジャンルや商品名、あるいは懸賞のカテゴリ（種類）や募集期間などをもとに、懸賞登録代行システム３０に登録された一括応募が可能な複数の懸賞サイト２０から該当する懸賞サイトを検索してＷｅｂページ中で提示する懸賞検索部３６ｂなどの機能を有する。懸賞管理部３６は、懸賞提供者登録部３４によって登録された各懸賞についての懸賞掲載データ３６ｃを保持する。また、懸賞管理部３６は、懸賞登録部３４ａを通じて懸賞登録代行システム３０に登録された各懸賞に関する情報を提供するもので、例えば登録された懸賞の一覧（懸賞のカテゴリ、景品、募集期間、当選者数などのデータを含む）をＷｅｂページに掲載して利用者端末１８−１において表示させる機能を有する。
【００１８】
懸賞応募登録代行部３８は、懸賞提供者登録部３４を通じて登録された複数の懸賞サイト２０に対して、懸賞応募者管理部３２により登録されたそれぞれの応募者について一括応募を代行する処理を行なうもので、応募者登録部３２ａによって取得された懸賞応募に必要なデータを、ネットワーク１０を通じて懸賞登録部３４ａによって登録された複数の懸賞サイト２０にそれぞれ提供し、複数の懸賞に一括応募する懸賞応募部３８ａと、懸賞応募部３８ａによって一括応募される複数の懸賞サイト２０のうち個別のデータの提供が必要なカテゴリ（スクラッチ、数合わせ、アンケートなど）の懸賞サイトについて、利用者端末１８−１（応募者）からネットワーク１０を通じて個別のデータを取得する懸賞確認部３８ｂを有する。
【００１９】
懸賞運用管理部４０は、懸賞登録代行システム３０（懸賞登録部３４ａ）によって登録された懸賞に対する応募状況（現在の懸賞応募者数）のデータを各懸賞サイトから継続的に取得して記憶し、この記憶された応募状況のデータをネットワーク１０を通じて応募者（利用者端末１８−１）などに提供する懸賞情報表示部４０ａと、懸賞応募部３８ａによって応募される懸賞の応募期限前に、懸賞に当選した場合に提供される景品の最終確認を応募者に対して要求（督促）し、景品を決定する選択指示を入力する懸賞運用部４０ｂと、懸賞応募による当選結果をネットワーク１０を通じて応募者に通知して確認させ、応募者からの要求に応じて懸賞により獲得した景品をネットオークションに出品する機能をもつ懸賞結果確認部４０ｃとを有する。懸賞情報表示部４０ａは、利用者端末１８−１からの要求に応じて、例えば懸賞のカテゴリ別にリアルタイムにＷｅｂページに掲載して利用者端末１８−１において表示させることができる。
【００２０】
ネットオークション部４２は、ネットオークションを管理するもので、懸賞運用管理部４０から提供された情報をもとにネットワークを通じて景品に関する情報を提供し、ネットワークを通じて景品に対する入札情報を取得して商品の取得者を決定するオークション管理部４２ａと、オークション管理部４２ａによるネットオークションの結果に応じた処理を実行するオークション結果処理部３８ｂの機能を有する。なお、オークション結果処理部３８ｂには、景品の取得者（落札者）による購入により支払われる金額をオークション出品者（すなわち懸賞の応募者）に渡す決済機構を包含する。
【００２１】
なお、図２中の複数の懸賞サイト２０に含まれる個々の懸賞サイトは、それぞれを開設している懸賞提供者（事業者など）によって、懸賞提供者登録部３４（懸賞登録部３４ａ）を通じて懸賞に関するデータが登録されている懸賞サイトを表している。
【００２２】
図３は、懸賞管理部３６によって管理される懸賞掲載データ３６ｃの一例を示している。懸賞掲載データ３６ｃには、懸賞の応募に必要なデータを入力するための入力フォーマットを表す登録様式データ、懸賞カテゴリデータ（掲載する景品の景品別タイプ）、応募タイプデータ（その場で当たるものや文字による回答あるいは対象物の選択等の個別回答が必要なタイプと、完全に自動応募代行が可能なタイプとに分類）、懸賞の当選者に対して提供される景品に関する景品データなどが含まれる。景品データには、景品の外見などを撮影した画像の景品画像データ、景品の当選者数データ、応募期間データ、応募者数データ、景品を説明するデータ（名称、色、形状、性能、特徴など）等が含まれる。なお、図３に示す懸賞掲載データ３６ｃは１つの懸賞についてのデータであり、各懸賞を同様のデータによって管理している。
【００２３】
図４は、懸賞提供者登録部３４によって管理される料金管理データの一例を示している。料金管理データは、懸賞提供者に対する課金を管理するためのデータであり、懸賞提供者毎に、懸賞への応募件数を示す応募件数データ、応募件数に応じて算出される料金データ、納付（決済）の期限を示す納付期限データなどが記録される。懸賞提供者に対しては、応募件数（応募者についての個人データの提供数）が増加するに伴って、請求金額が増加されるように料金データが算出される。
【００２４】
図５は、懸賞応募者管理部３２の応募者登録部３２ａによって管理される応募者データの一例を示している。応募者応募者データには、応募者個人に関する個人データ、仮パスワードと仮ＩＤ、パスワードとＩＤ、登録レベルデータ、登録データ、有効期間管理データ、応募懸賞データなどが含まれる。なお、個人データには、氏名、ハンドルネーム、メールアドレス、生年月日、性別、現住所、景品の送付先、電話番号などのデータが含まれる。登録レベルデータは、個人情報を開示する範囲を表す登録レベル（レベルが高いほど多くのデータ登録が必要とする）や、この登録レベルの有効使用期間を示すデータが含まれる。登録データは、懸賞サイトに対して提供されるデータであり、登録レベルに応じた登録様式データ（入力フォーマット）に従って入力されるデータである。また、応募懸賞データには、応募対象となっている懸賞に関するデータが含まれており、例えば懸賞毎（懸賞１，２，３…）に、応募者が指定した景品と応募結果（当選または落選）を示すデータが記録される。なお、図５に示す応募者データは１人の応募者についてのデータであり、各応募者を同様のデータによって管理している。
【００２５】
次に、本実施形態における懸賞登録代行システム３０の動作について説明する。
まず、懸賞提供者登録部３４（懸賞登録部３４ａ）による懸賞サイトの登録について説明する。
懸賞登録部３４ａは、懸賞提供者端末１８−３から懸賞サイト登録が要求されると（図２（１））、登録申込書のフォーマットを含むページをネットワーク１０を通じて提供する。登録申込書には、懸賞サイトに関するデータ、例えば登録様式データ、懸賞カテゴリデータ（掲載する景品の商品別タイプ）、応募タイプデータ、景品データ、懸賞サイトのＵＲＬ（ｕｎｉｆｏｒｍ  ｒｅｓｏｕｒｃｅ  ｌｏｃａｔｏｒ）、料金の決済に要するデータ（例えば料金決済システム２２としてクレジット会社を利用する場合であればクレジット番号、銀行を利用する場合であれば口座番号など）などを入力する項目が設けられている。景品データとしては、景品画像データ、当選者数データ、応募期間データなどが含まれる。なお、登録様式データは、予め用意されている複数の登録様式、すなわち入力項目の数が異なる複数の入力フォーマットから選択された何れかを示すものとする。複数の登録様式は、応募者が指定する登録レベルの何れかに対応している。
【００２６】
これらの項目に必要事項が入力されて返信されると、懸賞登録部３４ａは、懸賞提供者（事業者）を識別するためのＩＤとパスワードを発行し、登録申し込みの受理を懸賞提供者端末１８−３に対して通知する。ただし、懸賞登録部３４ａは、必須入力項目に対して正しく入力がされているかを確認し、入力されていない場合には、再入力を促すメッセージを利用者端末１８−１に対して送信する。懸賞登録部３４ａは、懸賞提供者端末１８−３から受信したデータを、懸賞掲載データ３６ｃとして生成して（図３参照）懸賞管理部３６に渡す（図２（５））。
【００２７】
次に、懸賞応募者管理部３２及び懸賞管理部３６による懸賞応募者の募集について説明する。
懸賞掲載部３６ａは、懸賞登録部３４ａから取得された懸賞掲載データ３６ｃをもとに、ネットワーク１０を通じて懸賞応募者を募集するためのＷｅｂページ（懸賞応募者募集ページ）を生成する。懸賞掲載部３６ａは、懸賞応募者募集ページに用意された定型フォームに合わせて、懸賞掲載データ３６ｃのデータに対して編集を施し、懸賞応募者募集ページの所定の位置に掲載する。例えば、登録様式、懸賞カテゴリ、応募タイプの他、懸賞に当選した場合に提供される景品の画像や景品を紹介するコメントなどが掲載される。なお、応募タイプの個別回答が必要なタイプとしては、例えばスクラッチ、おみくじ、数あわせ、アンケートなどがある。
【００２８】
各懸賞サイトについてのデータを懸賞応募者募集ページに掲載することで、応募者は、利用者端末１８−１からネットワーク１０を通じて、懸賞一括登録代行サービスを利用して応募が可能な懸賞サイトの一覧を利用者に提示することができる。
【００２９】
ここで、懸賞応募者募集ページにアクセスした利用者端末１８−１からの要求に応じて、応募者が指定する条件に該当する懸賞サイトを検索し、検索結果をページ中に提示することができる。例えば、利用者端末１８−１から懸賞で当選した場合に獲得できる景品のジャンルや商品名、あるいは懸賞のカテゴリ（種類）や募集期間等の検索条件の指定を受け付ける（図２（７））。懸賞検索部３６ｂは、検索条件の指定と共に検索実行が指示されると、懸賞登録部３４ａを通じて登録された複数の懸賞サイト２０から該当する懸賞サイトを検索して、懸賞応募者募集ページにおいて表示させる（図２（６））。
【００３０】
こうして、利用者は、懸賞応募者募集ページを参照して、懸賞一括登録代行サービスの利用を検討することができる。ここで、懸賞応募者募集ページを通じて、懸賞一括登録代行サービスを利用するための登録要求が入力されると、応募者登録部３２ａは、会員登録申込書のフォーマットを含むページをネットワーク１０を通じて提供する（図２（２））。
【００３１】
会員登録申込書のフォーマットには、氏名、ハンドルネーム、メールアドレス、生年月日、性別、現住所、景品の送付先、電話番号などの個人データを登録する項目が設けられている。また、一定期間（例えば３０日間）の間だけ利用できる無料会員と１年間有効な有料会員の何れかを指定することができる。これらの項目に必要事項が入力されて返信されると、応募者登録部３２ａは、必須入力項目に対して正しく入力がされているかを確認し、入力されていない場合には、再入力を促すメッセージを利用者端末１８−１に対して送信する。
【００３２】
個人データが入力されると、応募者登録部３２ａは、個人情報を開示する範囲を表す登録レベル（及び有効期間）の指定を受け付ける。応募者登録部３２ａは、指定された登録レベルに応じた登録様式フォーマット、すなわち懸賞の応募に必要なデータを入力するための複数の項目が設けられた入力フォーマットを含むページを提供する。なお、登録様式フォーマットは、先に個人データとして入力済みのデータが流用可能であれば、該当する入力項目内にデータが入力された状態で提供するものとする。例えば、登録様式フォーマットの氏名と住所の入力項目内に、個人データとして入力された氏名と住所を入力しておく。これにより、応募者によるデータ入力の作業を容易にする。
【００３３】
懸賞サイトは、それぞれ応募に必要となるデータ項目が異なっている。従って、個人情報の登録項目が複雑に（多く）なる登録様式フォーマットを用いるほど、一括応募できる懸賞の数が増える。応募者は、個人情報を開示する範囲を表す登録レベルを任意に指定することで、一括応募の対象とする懸賞サイトを決めることができる。
【００３４】
応募者登録部３２ａは、登録様式フォーマットの必須入力項目に対して正しく入力がされているかを確認し、入力されていない場合には、再入力を促すメッセージを懸賞提供者端末１８−３に対して送信する。こうして、懸賞の応募に必要とする登録データょ取得する。
【００３５】
なお、無料会員の指定がされた場合には、応募者登録部３２ａは、予め決められた１つの登録様式フォーマットを提供して、登録データを入力させる。すなわち、無料会員によって応募可能な懸賞を制限する。
【００３６】
応募者登録部３２ａは、必要なデータの登録が完了された後、懸賞応募者募集ページに設けられた入会ボタンに対する指示があると、入会金と年会費の支払い方法の入力を受け付けて入会登録を完了する（無料会員に対しては支払い方法の指定は不要）。なお、支払い方法としては、例えばクレジット会社の料金決済システム２２を利用する場合であればクレジット番号、銀行を利用する場合であれば銀行口座番号を入力する。
【００３７】
応募者登録部３２ａは、利用者に対して個人を識別する識別情報、例えばＩＤとパスワードを自動発行して利用者端末１８−１に対して送信し、登録申し込み完了を通知する。なお、無料会員に対しては、有効期限が限られた仮ＩＤと仮パスワードを発行して通知する。そして、応募者登録部３２ａは、利用者端末１８−１を通じて応募者から入力されたデータ（個人データ、登録レベルデータ、登録データ）、ＩＤ及びパスワード（あるいは仮ＩＤと仮パスワード）、及び入会登録日を起算日とした有効期間データ（例えば１年間）を、この会員対する応募者データとして記録する（図５参照）。
【００３８】
会費管理部３２ｂは、入会した利用者（応募者）から通知された支払い方法により、ネットワーク１０を通じて料金決済システム２２（クレジット会社や銀行など）により入会金と年会費とを決済する（図２（４））。
【００３９】
次に、複数の懸賞サイトに対して一括応募する懸賞運用代行処理について、図６に示すフローチャートを参照しながら説明する。
本実施形態における懸賞登録代行システム３０では、応募者が懸賞応募者管理部３２を通じて会員登録することで、懸賞に対して仮応募の状態となる。仮応募は、実際の懸賞サイトに対しては応募がされていない状態である。懸賞への本応募は、懸賞の所定の締め切り前（例えば前日）までに応募者から応募決定（懸賞に当選した場合に獲得される景品の指定）が指示されることにより実行する。
【００４０】
懸賞運用管理部４０の懸賞運用部４０ｂは、懸賞登録部３４ａに登録された各懸賞について、懸賞掲載データ３６ｃの応募期間データを参照して、応募締め切りまでの日数と時間をカウントダウンしている（ステップＡ１）。そして、応募締め切りまでの残りが所定の日数（あるいは時間）となったを判別する（ステップＡ２）。例えば、締め切り前日となった懸賞がある場合（ステップＡ２、Ｙｅｓ）、懸賞運用部４０ｂは、この懸賞で獲得される景品の決定を要求する督促メールを応募者に対して送信する（ステップＡ３）。なお、応募者が利用者端末１８−１を通じて懸賞一括登録代行サイトにアクセスしている場合には、Ｗｅｂページを通じて通知するようにしても良い。ただし、会員登録時に発行されたパスワードとＩＤを指定してアクセスしているものとする。
【００４１】
応募者が何れの種類の端末（ＰＤＡ１８ａ、ＰＣ１８ｂ、携帯電話１８ｃなど）を用いたとしても、応募者に対して発行したＩＤとパスワードを用いてアクセスしていれば、これに対応する応募者データをもとにして、懸賞一括登録代行サイトの利用を統一して管理する。すなわち、応募者は、何れの種類の端末を用いても、以下で説明する各操作を実行することができる。なお、懸賞提供者についても、それぞれのＩＤとパスワードを用いて懸賞一括登録代行サイトにアクセスすれば、何れの種類の端末からでもサービスの提供を受けることがてきる。
【００４２】
ところで、景品の選択が必要のない懸賞（例えば景品が１種類しかない場合など）に対しては、締め切り前日までのカウントダウンをすることなく、応募可能な懸賞サイトに対して直ちに応募するようにしても良い。
【００４３】
ここで、応募者からの応答があった場合（ステップＡ４、Ｙｅｓ）、すなわちＩＤとパスワードの指定を伴って、懸賞一括登録代行サイトのページにアクセスしてきた場合、懸賞運用部４０ｂは、締め切りが近い懸賞に対する景品決定の督促ページを表示させる（ステップＡ５）。
【００４４】
懸賞運用部４０ｂは、対象とする懸賞における複数の景品をページ中で表示させる。ここで、利用者端末１８−１から懸賞に対する応募状況の表示が要求された場合、懸賞情報表示部４０ａは、一括応募の対象となっている懸賞についての応募状況、例えば懸賞毎に当選者数、応募者数、当選確率などのデータを一覧表示するページを提供する。懸賞情報表示部４０ａは、懸賞登録代行システム３０（懸賞登録部３４ａ）によって登録された懸賞に対する応募状況（現在の懸賞応募者数）のデータを各懸賞サイトから継続的に取得して記憶しており（図２（１５））、その中から応募者に該当する懸賞のデータを抽出してページ中に掲載する。なお、懸賞応募者数のデータは、懸賞掲載データの景品データ中に応募者数データとして記録しておく（図２（１２））（図３参照）。
【００４５】
図７には、一括応募の対象となっている懸賞についての状況を示すページの一例を示している。図７に示す例では、懸賞（懸賞１，２，…）毎に、当選した場合に獲得できる景品のそれぞれについて、当選者数、応募者数、当選確率を一覧表示している。従って、応募者は、締め切り直前の応募状況を確認して、例えば当選確率の高い（当選しやすい）景品を応募対象として決定することができる。
【００４６】
なお、応募者に対して提供する応募状況のデータは、懸賞サイトに募集している懸賞一括登録代行サイトを利用していない一般者による応募状況だけを表しても良いし、懸賞登録代行システムに仮登録された応募を含めたものを表示させるようにしても良い。仮登録された応募を含めた応募状況を表示する場合は、応募先の懸賞サイトから取得したデータと、懸賞登録代行システムに登録された応募者のデータとを合算して表示させる。
【００４７】
懸賞運用部４０ｂは、利用者端末１８−１から応募先とする懸賞について、希望する景品の変更指示が入力された場合には、この指示に応じて応募対象とする景品を変更する（ステップＡ６）。なお、変更指示がない場合には、予め決められた景品（例えば、懸賞サイトで最初に提示されている景品、当選確率が最も高い景品など）を希望する景品として自動的に決定する。懸賞運用部４０ｂは、景品決定が指示されると（ステップＡ７）、この応募者に対する応募者データ中の応募懸賞データに、それぞれの懸賞（懸賞１，２，…）について決定された景品を示すデータを記録しておく（図５参照）。
【００４８】
懸賞応募登録代行部３８は、懸賞運用部４０ｂにより応募先の懸賞が正式決定されたことが通知される（図２（９））、応募先の複数の懸賞サイトに対して一括して本応募を実行する。
【００４９】
まず、懸賞応募部３８ａは、応募先の懸賞掲載データ３６ｃを参照して応募タイプを判別する（ステップＡ８）。ここで、自動応募代行が可能なタイプの懸賞については、懸賞応募部３８ａは、応募先の各懸賞サイトに対して、応募者により正式決定された景品に基づいて応募期限内に正式応募を要求する（ステップＡ１２）（図２（１４））。この際、懸賞応募部３８ａは、応募者から予め取得している、応募に必要な登録データを懸賞サイトに対して提供する。従って、応募者は、複数の懸賞サイトに一括応募されるとしても個別にデータを登録する必要がない。
【００５０】
一方、個別回答が必要なタイプの懸賞がある場合（ステップＡ９、Ｙｅｓ）、例えばスクラッチ、数合わせ、選択、アンケートヘの回答等が必要な場合、懸賞確認部３８ｂは、該当する懸賞についての個別回答が必要であることを通知する警告画面を利用者端末１８−１（応募者）において表示させ（ステップＡ１０）（図２（１０））、懸賞に応じた個別回答を要求する。
【００５１】
例えば、該当する懸賞サイトの個別回答するためのページにジャンプさせ、その画面中で利用者端末１８−１からデータを入力させる（ステップＡ１１）。個別回答が完了した後、懸賞応募部３８ａから応募者から予め取得している登録データを懸賞サイトに対して提供する。すなわち、応募者は個別回答が必要なものにだけデータを入力するだけで良い。
【００５２】
また、個々に懸賞サイトの個別回答するためのページにジャンプさせるのではなく、懸賞一括登録代行サイトにおいて、複数の懸賞についての個別回答をまとめて入力できるようにしても良い。例えば、懸賞登録代行システムにおいて、個別回答が必要な懸賞サイトから、個別回答用を入力するためのデータ（場合によってはプログラム）を取得しておいて、これらを用いて必要に応じて個別回答のデータを入力するようにしても良い。この場合、懸賞応募部３８ａは、懸賞毎の個別回答のデータと共に登録データを、それぞれの懸賞サイトに対して送信する。
【００５３】
また、前述した説明では、個別回答が必要なタイプの懸賞については、利用者端末１８−１に回答要求を行なうものとしているが、個別回答をしないように、応募者からの要求に応じて設定しておくこともできる。この場合、個別回答の入力要求をすることなく、懸賞サイトに対して一括応募を実行する。ただし、個別回答が必須としている懸賞については応募先から除外し、個別回答が必須としていない懸賞サイトについてはそのまま応募対象とする。
【００５４】
なお、懸賞サイトに対して正式応募が実行される前に、利用者端末１８−１からの要求に応じて登録レベルを変更し、応募可能な懸賞サイトの範囲を変更することもできる。利用者端末１８−１から登録レベルの変更が要求された場合、会員登録時と同様にして、登録レベルの指定を受付け、より多くのデータ登録が必要な登録レベルへの変更（レベルを上げる）の場合には、登録レベルに対応する登録様式フォーマットを通じてデータを入力して記録する。この場合には、より多くの懸賞サイトを応募対象として拡張することができる。また、逆に懸賞レベルを下げることで、懸賞サイトに対して提供される登録データを制限することもできる。この場合には、応募対象とする懸賞サイトが、登録レベルの変更前よりも限定されることになる。
【００５５】
こうして、懸賞応募部３８ａにより複数の懸賞サイトに対して一括応募が完了すると、会費管理部３２ｂに対して、応募先の懸賞サイト毎の応募件数が通知される（図２（１３））。会費管理部３２ｂは、懸賞応募の実施に応じて、懸賞提供者に対する応募件数データを更新する（ステップＡ１３）（図４参照）。なお、応募件数データの更新に伴う懸賞提供者に対する広告料管理については後述する（図１０）。
【００５６】
次に、応募後の懸賞結果についての処理について、図８に示すフローチャートを参照しながら説明する。
懸賞運用管理部４０の懸賞結果確認部４０ｃは、応募先の懸賞サイトから応募結果（当選または落選）のデータを取得し（図２（５））、各応募者の応募者データ（応募懸賞データ）に記録しておく（図５参照）。応募懸賞データでは、各懸賞について景品毎に応募結果が記録される。
【００５７】
懸賞結果確認部４０ｃは、利用者端末１８−１から、懸賞一括登録代行サイトのページを通じて懸賞結果確認要求を受けると（ステップＢ１）（図２（１１））、応募者に対する応募結果を同応募者の応募者データから読み出し（ステップＢ２）、応募結果ページに掲載して利用者端末１８−１に提供する（ステップＢ３）。例えば、応募結果ページには、当選した懸賞と景品のみを一覧によって掲載する。
【００５８】
ここで、応募結果ページに掲載された特定の景品を選択する指示が入力されると（ステップＢ４、Ｙｅｓ）、懸賞結果確認部４０ｃは、選択された景品についての情報をページ中に表示させる（ステップＢ５）。例えば、懸賞提供者から登録時に取得している景品データをもとにして、景品の画像や説明を表示させる。
【００５９】
図９には、当選により獲得された景品の表示例を示している。図９に示すように、景品を紹介するための景品の画像の他、景品名や当選日などの説明５０が掲載されている。また、応募者から景品のオークションへの出品を受け付けるためのオークションボタン５２が設けられている。
【００６０】
懸賞結果確認部４０ｃは、オークションボタン５２により景品のオークションへの出品が指示された場合（ステップＢ６）、選択された景品に関する情報をネットオークション部４２に提供する（ステップＢ７）（図２（１６））。ここで、懸賞結果確認部４０ｃは、懸賞掲載部３６ａによって懸賞応募者募集ページに掲載するために編集された後の景品に関する情報をネットオークション部４２に提供する。ここで、応募者は、応募結果ページ中のオークションボタン５２を、例えばマウスでクリックするなどの簡単な操作だけで、懸賞で獲得した景品をオークションに出品することができる（景品に関する情報等を出品者が用意する必要がない）。
【００６１】
次に、ネットオークション部４２のオークション管理部４２ａの処理について説明する。
オークション管理部４２ａは、懸賞結果確認部４０ｃから景品の出品を受け付けると、管理番号を付与して出品者（懸賞の応募者）に対して、例えば電子メールによって通知する。
【００６２】
また、オークション管理部４２ａは、懸賞結果確認部４０ｃから取得した景品に関する情報（懸賞応募者募集ページで掲載されていた内容）を用いて、オークションページに景品を掲載する。この場合、景品の掲示形態は懸賞応募者募集ページと同じとなる。なお、オークション管理部４２ａにおいて、懸賞結果確認部４０ｃから取得した景品に関する情報をさらに編集して、オークションページ独自の形態にして掲載するようにしても良い。
【００６３】
ネットオークション部４２は、懸賞登録代行システムに会員登録した登録者だけでなく、利用者端末１８−２からの一般人や、景品購入者端末１８−４からのリサイクルショップや質屋などの業者によるネットオークションの参加を受け付ける。例えば利用者端末１８−２や景品購入者端末１８−４からネットワーク１０を通じてネットオークションにアクセスされると、オークション管理部４２ａは、懸賞結果確認部４０ｃを通じて出品された景品を含むオークションページを提供する。ここで、景品が選択されて入札価格が指定されると（図２（１８））、オークション管理部４２ａは、入札価格を記録していく。ネットオークションでは、景品が掲載されてオークションが開始されてからのオークション期間を景品毎に管理し、それぞれ残り時間をカウントダウンしていく。入札は、景品毎の予め決められたオークション期間（例えば２週間）で受け付ける。入札の際には、景品に対する入札価格の他、入札者の連絡先（例えば電子メールアドレス）のデータを受信しておく。
【００６４】
オークション管理部４２ａは、オークションページにおいて、出品された全景品のオークション経過を一覧表示する。例えば商品毎に現在の高値と安値、応募者数、残りオークション期間、落札価格などを表示する。
【００６５】
オークション管理部４２ａは、ネットワーク１０を通じて景品に対する入札を受け付ける一方、ネットワーク１０（Ｗｅｂページ）を通じて、景品を出品した応募者（利用者端末１８−１）から管理番号の指定と共に入札状況の閲覧要求を受け付けることができる。オークション管理部４２ａは、入札状況の閲覧要求を受け付けると、入札状況を示すデータ（入札履歴や入札最高価格など）を提供する。ここで、応募者は、入札状況を確認して落札決定を指示することができる。
【００６６】
落札決定がされない場合、オークション管理部４２ａは、期間内（オークション開始から２週間）であれば、継続して一般の応募者などからの入札を受け付ける。一方、落札決定が指示されると、オークション管理部４２ａは、入札者（落札者）に対して景品を落札したことを、入札時に受信した連絡先（電子メールアドレス）を用いて通知して、景品の送付先や景品購入代金の決済に必要な情報（例えば料金決済システム２２を通じて決済するためのクレジット番号や口座番号など）などの通知を要求する（図２（１７））。
【００６７】
オークション管理部４２ａは、落札者から景品の送付先の情報（例えば住所、氏名、連絡先、電子メールなど）を受信すると（図２（１９））、この情報を景品提供者に対して送信して（図２（２０））、景品を獲得した応募者ではなく落札者へ景品を発送するよう依頼する。なお、景品の送付先の情報は入札時に入力されるようにしても良い。景品購入の決済については後述する。また、オークション期間中に景品が落札されなかった場合には、懸賞により景品を獲得した応募者に対して景品を返却する。
【００６８】
なお、前述したネットオークションでは、出品された景品に対して入札を行なうものとしているが、景品購入業者（リサイクルショップや質屋など）からの逆オークションを実施するようにしても良い。例えば、懸賞一括登録代行サイトに対して、リサイクルショップや質屋などの業者（一般人であっても良い）から、景品購入者端末１８−４によりネットワーク１０を通じて、景品の種類と購入希望金額を受け付けておいて記録しておく。そして、応募結果ページから景品毎の購入希望金額の一覧ページを表示させるようにしておく。ここで、応募者が事業者によって提示された購入希望金額に納得できれば、オークションボタン５２の操作により出品して、金額を提示してきた事業者に対して景品を販売する。こうして、逆オークションを実施することで、景品を獲得した応募者が販売先を選択することができる。
【００６９】
こうして、懸賞により獲得された景品についてネットオークション（あるいは逆オークション）を実施することができ、懸賞の応募者は景品の販売により収入を期待することができる。
【００７０】
次に、懸賞への一括応募とネットオークションに関係する料金（及び手数料）の決済等について説明する。
図１０には、懸賞提供者登録部３４の広告料管理部３４ｂによる広告管理処理のフローチャートを示している。
広告料管理部３４ｂは、懸賞応募部３８ａにより複数の懸賞サイトに対して一括応募が完了すると、懸賞応募が通知される（ステップＣ１）と共に、応募先の懸賞サイト毎の応募件数（応募者数）が通知される（図２（１３））。広告料管理部３４ｂは、懸賞応募の実施に応じて、応募先となった懸賞のそれぞれについて、懸賞提供者に対する応募件数データを更新する（ステップＣ２）（図４参照）。
【００７１】
そして、広告料管理部３４ｂは、予め決められた請求期限になると（ステップＣ３）、料金管理データに記録された懸賞提供者に対応する応募件数データに応じて料金データを算出し（ステップＣ４）、各懸賞提供者に対して料金データ分を広告料として請求する（ステップＣ５）（図２（１））。すなわち、ネットワーク１０を通じて景品提供者（懸賞提供者端末１８−３）に対して、納付期限データを添付して請求データを送信する。
【００７２】
懸賞提供者は、懸賞登録代行システム３０からの請求データに対して、懸賞提供者端末１８−３から料金決済システム２２を通じて（インターネットバンキングなど）、懸賞登録代行システム３０の事業者に対して広告料を納付することができる。広告料管理部３４ｂは、料金決済システム２２からの通知により懸賞提供者から広告料の納付が確認されると（ステップＣ６、Ｙｅｓ）（図２（２１）（３））、この懸賞提供者について料金管理データに、広告料が納付済みであることを記録して処理を終了する（ステップＣ７）。
【００７３】
一方、納付期限データが示す納付期限が到達するまでに納付がないと（ステップＣ８）、広告料管理部３４ｂは、懸賞提供者に対して広告料納付の督促要求通知（電子メール、郵便）を送信する（ステップＣ９）。
【００７４】
こうして、各懸賞提供者に対しては、懸賞一括応募によって提供した応募者のデータ量（応募件数データ）に応じた広告料を請求し、決済することができる。
【００７５】
一方、懸賞登録代行システム３０（会費管理部３２ｂ）は、ネットオークション部４２によるネットオークションにおいて景品が落札されると、景品の落札者から取得した決済に必要な情報（クレジット番号や口座番号）を用いて、料金決済システム２２を通じて景品の代金を決済する。そして、会費管理部３２ｂは、落札された景品の代金から手数料として一定比率を徴収し、残金を料金決済システム２２を通じて、ネットオークションへの景品の出品者に対して支払う。すなわち、懸賞から景品を獲得した応募者は、ネットオークションを利用することで収入を得ることができる。料金決済システム２２からは応募者（利用者端末１８−１）に対して入金が通知される（図２（２２））。
【００７６】
このようにして、応募者は懸賞の応募に必要なデータを１回登録するだけで、懸賞登録代行システム３０によって複数の懸賞に応募することができる。これにより、僅かな労力によって大量の懸賞に一括応募されることになり、当選の確率が格段と飛躍して景品の獲得機会を増大させることができる。さらに、応募者は、懸賞に当選することで獲得できた景品を、簡単な操作によって、懸賞一括代行システムと連動するネットオークションに出品して販売できるので、懸賞応募から収入を得ることができる。また、懸賞を提供している懸賞提供者（事業者）にとっても、短期間に大量の顧客見込み客（懸賞の応募者）についてのデータを得ることができる。懸賞登録代行システム３０の運営者にとっては、応募者からの入会金と会費、懸賞提供者からの広告料、さらには応募者が景品をネットオークションにより販売した際の手数料などにより利益の確保を期待できる。
【００７７】
なお、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。本装置を実現するコンピュータは、記録媒体に記録されたプログラムを読み込み、または通信媒体を介してプログラムを受信し、このプログラムによって動作が制御されることにより、上述した処理を実行する。
【００７８】
また、本願発明は、前述した実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。例えば、実施形態に示される全構成要件から幾つかの構成要件が削除されても効果が得られる場合には、この構成要件が削除された構成が発明として抽出され得る。
【００７９】
【発明の効果】
以上詳述したように本発明によれば、応募者から入力されたデータを用いて複数の懸賞に対して一括応募するので、利用者が複数の懸賞に対して簡単に応募することができ、また懸賞提供者が効率的に懸賞を通じてデータ収集することが可能となる。
【図面の簡単な説明】
【図１】本発明の実施形態に係わるシステム構成の一例を示すブロック図。
【図２】図１に示すシステムにおいて実現される懸賞登録代行システム３０の構成を示すブロック図。
【図３】懸賞管理部３６によって管理される懸賞掲載データ３６ｃの一例を示す図。
【図４】懸賞提供者登録部３４によって管理される料金管理データの一例を示す図。
【図５】懸賞応募者管理部３２の応募者登録部３２ａによって管理される応募者データの一例を示す図。
【図６】複数の懸賞サイトに対して一括応募する懸賞運用代行処理について説明するためのフローチャート。
【図７】一括応募の対象となっている懸賞についての状況を示すページの一例を示す図。
【図８】応募後の懸賞結果についての処理について説明するためのフローチャート。
【図９】当選により獲得された景品の表示例を示す図。
【図１０】広告料管理部３４ｂによる広告管理処理を説明するためのフローチャート。
【符号の説明】
１０…ネットワーク、１２，１４，１６…サーバ、１８（１８−１，１８−２）…利用者端末、１８−３…懸賞提供者端末、１８−４…景品購入者端末、１８ａ…ＰＤＡ、１８ｂ…ＰＣ、１８ｃ…携帯電話、２２…料金決済システム、３０…懸賞登録代行システム、３２…懸賞応募者管理部、３２ａ…応募者登録部、３２ｂ…会費管理部、３４…懸賞懸賞登録部、３４ａ…懸賞登録部、３４ｂ…広告料管理部、３６…懸賞管理部、３６ａ…懸賞掲載部、３６ｂ…懸賞検索部、３６ｃ…懸賞掲載データ、３８…懸賞応募登録代行部、３８ａ…懸賞応募部、３８ｂ…懸賞確認部、４０…懸賞運用管理部、４０ａ…懸賞情報表示部４０ａ、４０ｂ…懸賞運用部４０ｂ、４０ｃ…懸賞結果確認部、４２…ネットオークション部、４２ａ…オークション管理部、４２ｂ…オークション結果処理部。
【図１】
2004272699.tif 000003
【図２】
2004272699.tif 000004
【図３】
2004272699.tif 000005
【図４】
2004272699.tif 000006
【図５】
2004272699.tif 000007
【図６】
2004272699.tif 000008
【図７】
2004272699.tif 000009
【図８】
2004272699.tif 000010
【図９】
2004272699.tif 000011
【図１０】
2004272699.tif 000012